(57)【要約】      （修正有）【課題】テーブルファセット面から見ることができる、特徴のあるモチーフを持った５８面体ブリリアントカット宝石を提供する。【解決手段】ガードルと、ガードル上部に設けられているとともに、その頂部に八辺形をしたテーブルファセットを持ったクラウンと、ガードル下部に設けられたパビリオンとを有し、前記パビリオンは、テーブルファセット中心に垂直に立てた中心軸の下端に下頂点を有し、その下頂点とガードルとの間の周囲に８個のパビリオンファセットと１６個のロワーガードルファセットとを持つ５８面体ブリリアントカット宝石において、８個のパビリオンファセットに、キュレットを起点とする所定のモチーフのカットを形成し、当該モチーフがテーブルファセット内に一括して見えるようにしたことを特徴とする５８面体ブリリアントカット宝石。【選択図】図３
0003127828.tif 000002
【実用新案登録請求の範囲】
【請求項１】
ガードルと、ガードル上部に設けられているとともに、その頂部に八辺形をしたテーブルファセットを持ったクラウンと、ガードル下部に設けられたパビリオンとを有し、
前記パビリオンは、テーブルファセット中心に垂直に立てた中心軸の下端に下頂点を有し、その下頂点とガードルとの間の周囲に８個のパビリオンファセットと１６個のロワーガードルファセットとを持つ５８面体ブリリアントカット宝石において、
８個のパビリオンファセットに、キュレットを起点とする所定のモチーフのカットを形成し、当該モチーフがテーブルファセット内に一括して見えるようにしたことを特徴とする５８面体ブリリアントカット宝石。
【請求項２】
８個のパビリオンファセットに形成されたキュレットを起点とする所定のモチーフのカットが、隣接するパビリオンファセットに形成した部分モチーフのカットを合体させることにより、単一のモチーフのカットとなるよう構成したことを特徴とする請求項１記載の５８面体ブリリアントカット宝石。
【考案の詳細な説明】
【技術分野】
【０００１】
この考案はダイヤモンドあるいは人造石等からなる宝石のカット、特に５８面体ブリリアントカット宝石で新規な反射光パターンを有するものに関するものである。
【背景技術】
【０００２】
ダイヤモンドあるいは人造石等からなる宝石のカットとして一般に広く使われているものはラウンドブリリアントカットである。
このブリリアントカットは、図４ないし図６に示すように、ガードル１０１と、ガードル１０１上部に設けられているとともに、その頂部に八辺形をしたテーブルファセット１０３を持ったクラウン１０２と、ガードル１０１下部に設けられたパビリオン１０４とを有し、
前記パビリオン１０４は、テーブルファセット１０３中心に垂直に立てた中心軸の下端に下頂点を有し、その下頂点をなすキュレット１０５とガードル１０１との間の周囲に８個のパビリオンファセット１０６と１６個のロワーガードルファセット１０７とを持っている。
【０００３】
他方クラウン１０２では、八辺形をしたテーブルファセット１０３から順次、スターファセット１０８、ベゼルファセット１０９、アッパーガードルファセット１１０の順でカットされ、アッパーガードルファセット１１０はガードル１０１に接している。
【０００４】
このようなブリリアントカットダイヤモンドにおける近年の傾向として、特定の角度のカットをダイヤモンドのパビリオン部分に施すことにより、テーブルファセット面からハートアンドアロー現象を起すようにしたものが特開２００３−１１１６０６公報（特許文献１参照）や登録実用新案第３０８５２６６号公報（特許文献２参照）等において提案されている。
また、特開２００５−９５２８０公報（特許文献３参照）には、ハート形が正しく出ていることをダイヤモンド加工の対称性の良さの尺度とするため、パビリオンを下から見たときにロワーガードルファセットに少なくとも４個のハート状反射光パターンが現れるオーバルカットしたダイヤモンドが提案されている。
【特許文献１】特開２００３−１１１６０６公報
【特許文献２】登録実用新案第３０８５２６６号公報
【特許文献３】特開２００５−９５２８０公報
【考案の開示】
【考案が解決しようとする課題】
【０００５】
しかしながら、特定の角度のカットをダイヤモンドのパビリオン部分に施すことにより、テーブルファセット面からハートアンドアロー現象を起すようにした特許文献１および特許文献２のダイヤモンドにおいては、特定の角度のカットを非常に厳密に加工する必要があって、テーブルファセット面から所望のハートアンドアロー現象を生起させることが非常に難しい。
【０００６】
また、ハート形が正しく出ていることをダイヤモンド加工の対称性の良さの尺度とするため、パビリオンを下から見たときにロワーガードルファセットに少なくとも４個のハート状反射光パターンが現れるオーバルカットの特許文献３の提案においては、テーブルファセット面から所望のハート形を見えるようにしたものではなく、本願考案とは異なる構成および作用効果の考案である。
【０００７】
すなわち、この考案の目的とするところは、テーブルファセット面から見ることができる、特徴のあるモチーフを持ったブリリアントカットダイヤモンドを提供しようとするものである。より詳しくは、８個のパビリオンファセットに、キュレットを起点とする所定のモチーフのカットを形成することにより、テーブルファセット面から見ることができる、特徴のあるモチーフを持った５８面体ブリリアントカット宝石を提供するものである。
【課題を解決するための手段】
【０００８】
したがってこの考案の５８面体ブリリアントカット宝石は、ガードルと、ガードル上部に設けられているとともに、その頂部に八辺形をしたテーブルファセットを持ったクラウンと、ガードル下部に設けられたパビリオンとを有し、
前記パビリオンは、テーブルファセット中心に垂直に立てた中心軸の下端に下頂点を有し、その下頂点とガードルとの間の周囲に８個のパビリオンファセットと１６個のロワーガードルファセットとを持つ５８面体ブリリアントカット宝石において、
８個のパビリオンファセットに、キュレットを起点とする所定のモチーフのカットを形成し、当該モチーフがテーブルファセット内に一括して見えるようにしたことを特徴とするものである。
【０００９】
この考案の５８面体ブリリアントカット宝石は、上記８個のパビリオンファセットに形成されたキュレットを起点とする所定のモチーフのカットが、隣接するパビリオンファセットに形成した部分モチーフのカットを合体させることにより、単一のモチーフのカットとなるよう構成したことをも特徴とするものである。
【考案の効果】
【００１０】
この考案の５８面体ブリリアントカット宝石によれば、テーブルファセット面から見ることができる、特徴のあるモチーフを持った５８面体ブリリアントカット宝石を提供することが可能となった。
【考案を実施するための最良の形態】
【００１１】
以下、この考案の５８面体ブリリアントカット宝石をその実施の形態を示す図面に基づいて詳しく説明をする。
図１はこの考案の１実施例による５８面体ブリリアントカット宝石の正面図、図２はその平面図、図３はその底面図をそれぞれ示している。
これらの図で、５８面体ブリリアントカット宝石１１は円形のガードル１２と、そのガードル１２の上部にクラウン１３と、ガードル１３の下部にパビリオン１４を持つ。クラウン１３はその頂部に八辺形をしたテーブルファセット１５を持っている。図２はクラウン１３を上部から見た図、図３はパビリオン１４を底部から見た図となっている。
【００１２】
パビリオン１４はテーブルファセット１５の中心に垂直に立てた中心軸２０の下端に下頂点，すなわちキュレット１６を持つ。パビリオン１４は下頂点をなすキュレット１６とガードル１２との間が円錐形となっており、その外周に８個のパビリオンファセット１７と１６個のロワーガードルファセット１８とを持つ。
【００１３】
パビリオンファセット１７は、下頂点をなすキュレット１６とガードル１２の外面との間で四辺形をなしている。そして、各パビリオンファセット１７は隣り合っているパビリオンファセット１７との間に下頂点をなすキュレット１６を一端とする辺１９を共有している。
【００１４】
ロワーガードルファセット１８は、パビリオン１４をなす円錐形外周面上で、パビリオンファセット１７とガードル１３の外面との間に形成されている。
【００１５】
この考案ではクラウン１３にあるクラウンメインファセット、スターファセット、アッパーガードルファセットなどクラウンファセットの形状はそれほど重要ではない。しかし、クラウン１３はテーブルファセット１５の他に、８個の四辺形をしたクラウンメインファセット２２と、８個の三角形をしたスターファセット２１と、１６個のアッパーガードルファセット２３とを持つことができる。
【００１６】
この考案においては、各パビリオンファセット１７に、下頂点をなすキュレット１６を起点とする所定のモチーフのカットを形成し、当該モチーフがテーブルファセット１５内に一括して見えるようにしたことを特徴としている。
このように、所定のモチーフのカットがテーブルファセット１５内に一括して見えるようにするには、当該モチーフの形成する範囲を、各パビリオンファセット１７間に共有している、下頂点をなすキュレット１６を一端とする辺１９の他端を基準とし、ほぼ辺１９の他端を限度としておくことが望ましい。
【００１７】
この実施例においては、上記モチーフとしてハート形モチーフ３１が研磨（カット）あるいはレーザー彫刻等によって表わされている。特に、個々のパビリオンファセット１７にはハート形モチーフ３１の半片３１−１，３１−２がそれぞれ刻され、辺１９を挟んで半片３１−１，３１−２が合体することにより、ハート形モチーフ３１が形成されている。
【産業上の利用可能性】
【００１８】
この考案に係る５８面体ブリリアントカット宝石は、ラウンドブリリアントカットダイヤモンドについて説明したが、各パビリオンファセット間に共有している、下頂点をなすキュレットを一端とする辺の他端を基準として所定のモチーフのカットを形成する本考案の趣旨を逸脱しない限り、ラウンドブリリアントカットダイヤモンドに限定されるものではない。
【００１９】
また、天然のダイヤモンドのみならず、キュービックジルコニアと称する人造ダイヤモンド等、あるいはそれ以外の人造宝石にも適用することができる。
【図面の簡単な説明】
【００２０】
【図１】この考案の１実施例によるブリリアントカットダイヤモンドの正面図である。
【図２】その平面図である。
【図３】その底面図である。
【図４】従来のブリリアントカットダイヤモンドの例を示す正面図である。
【図５】その平面図である。
【図６】その底面図である。
【符号の説明】
【００２１】
１１  ブリリアントカットダイヤモンド
１２  ガードル
１３  クラウン
１４  パビリオン
１５  テーブルファセット
１６  キュレット
１７  パビリオンファセット
１８  ロワーガードルファセット
１９  辺
２０  中心軸
２１  スターファセット
２２  クラウンメインファセット
２３  アッパーガードルファセット
３１  ハート形モチーフ
３１−１，３１−２  半片
【図１】
0003127828.tif 000003
【図２】
0003127828.tif 000004
【図３】
0003127828.tif 000005
【図４】
0003127828.tif 000006
【図５】
0003127828.tif 000007
【図６】
0003127828.tif 000008